(57)【要約】【課題】原稿画像に対して設定変更を伴う印刷出力をする際に、ユーザの操作状況に応じて出力物のサンプル画像を出力することが可能な画像処理装置を提供すること。【解決手段】原稿をコピーして印刷出力することが可能な画像処理装置であって、前記原稿に対してコピーの設定を受け付ける設定受付手段と、前記印刷出力された後、同一の原稿に対して同一の設定項目の設定がなされた場合に、当該原稿に対して異なる設定を適用した出力サンプルを印刷出力する出力サンプル印刷手段と、を有することを特徴とする。【選択図】図４
2015128229.tif 000002
【特許請求の範囲】
【請求項１】
原稿をコピーして印刷出力することが可能な画像処理装置であって、
前記原稿に対してコピーの設定を受け付ける設定受付手段と、
前記印刷出力された後、同一の原稿に対して同一の設定項目の設定がなされた場合に、当該原稿に対して異なる設定を適用した出力サンプルを印刷出力する出力サンプル印刷手段と、
を有することを特徴とする画像処理装置。
【請求項２】
前記コピーの設定とは、濃度調整であって、
前記出力サンプル印刷手段は、前記印刷出力された後に設定された濃度が前回よりも濃い場合は、出力サンプルとして前回よりも濃いものを採用し、前回よりも薄い場合は、出力サンプルとして前回よりも薄いものを採用することを特徴とする請求項１記載の画像処理装置。
【請求項３】
前記出力サンプルは、サンプル出力するエリアの指定を受け付けた場合には、原稿と等しいサイズで出力されることを特徴とする請求項１または２記載の画像処理装置。
【請求項４】
前記出力サンプルのサンプル画像には、サンプルを識別可能な情報が付与されており、前記情報の指定を受け付けた場合には、前記情報から当該サンプルに対する設定を取得し、コピー画像として印刷出力することを特徴とする請求項１乃至３のいずれか１項に記載の画像処理装置。
【請求項５】
原稿をコピーして印刷出力することが可能な画像処理装置の制御方法であって、
前記原稿に対してコピーの設定を受け付ける設定受付ステップと、
前記印刷出力された後、同一の原稿に対して同一の設定項目の設定がなされた場合に、当該原稿に対して異なる設定を適用した出力サンプルを印刷出力する出力サンプル印刷ステップと、
を有することを特徴とする画像処理装置の制御方法。
【請求項６】
原稿をコピーして印刷出力することが可能な画像処理装置を、
前記原稿に対してコピーの設定を受け付ける設定受付手段と、
前記印刷出力された後、同一の原稿に対して同一の設定項目の設定がなされた場合に、当該原稿に対して異なる設定を適用した出力サンプルを印刷出力する出力サンプル印刷手段と、
を有することを特徴とする画像処理装置として機能させるためのプログラム。
【発明の詳細な説明】
【技術分野】
【０００１】
本発明は、画像処理装置、画像処理装置の制御方法、およびプログラムに関する。
【背景技術】
【０００２】
近年のコピー機能を有する画像処理装置には、多くの設定可能な項目が設けられている。例えば出力物に対する濃度調整や拡大縮小の設定などが可能となっている。
【０００３】
通常ユーザが印刷濃度設定を行う場合には、原稿をセットして濃度調整を行ってコピー（スキャン＋印刷出力）を実行し、所望の結果が得られればコピーを終了する。しかし所望の出力結果が得られない場合は、再度濃度調整を行って印刷する。この場合、所望の結果とならない出力物は無駄なもののなるので、用紙やトナー・インクなどが無駄に消費されてしまう。
【０００４】
特許文献１には、地紋印刷の濃度を確認する際に、地紋印刷の試し刷りを行い、そこから最適な地紋濃度をユーザが選択するシステムが提案されている。
【先行技術文献】
【特許文献】
【０００５】
【特許文献１】特開２００５−９１７３０号公報
【発明の概要】
【発明が解決しようとする課題】
【０００６】
特許文献１によれば、最適な地紋画像を見つけるために必要な地紋濃度パラメータの組み合わせは、濃度変動幅に従い必然的に増える。全ての地紋濃度パラメータに対し試し刷りを行うことは可能だが、試し刷りに多数の紙を要してしまう。すなわち地紋印刷を前提の特許文献１では、試し印刷は必須なものである。
【０００７】
しかしながら、本願では、通常の画像に対して設定変更を行うので一度で所望の出力物を得ることができる可能性もあり、この場合は、試し刷りは不要なものとなってしまう。
【０００８】
そこで本発明は、原稿画像に対して設定変更を伴う印刷出力をする際に、ユーザの操作状況に応じて出力物のサンプル画像を出力することが可能な画像処理装置を提供することを目的とする。
【課題を解決するための手段】
【０００９】
原稿をコピーして印刷出力することが可能な画像処理装置であって、前記原稿に対してコピーの設定を受け付ける設定受付手段と、前記印刷出力された後、同一の原稿に対して同一の設定項目の設定がなされた場合に、当該原稿に対して異なる設定を適用した出力サンプルを印刷出力する出力サンプル印刷手段と、を有する。
【発明の効果】
【００１０】
本発明によれば、原稿画像に対して設定変更を伴う印刷出力をする際に、ユーザの操作状況に応じて出力物のサンプル画像を出力することが可能な画像処理装置を提供することができる。
【図面の簡単な説明】
【００１１】
【図１】本発明における画像処理装置のハードウェア構成の一例を示すハードウェア構成図である。
【図２】本発明における画像処理装置の操作部の一例を示す図である。
【図３】本発明における画像処理装置の機能構成の一例を示す機能構成図である。
【図４】本発明における原稿画像および出力サンプル画像の一例を示す図である。
【図５】本発明における画像処理装置の濃度調整画面の一例を示す図である。
【図６】本発明における画像処理装置の出力サンプルを印刷するか否かの確認画面の一例を示す図である。
【図７】本発明における画像処理装置の出力サンプルの出力設定画面の一例を示す図である。
【図８】本発明における画像処理装置のメインフローの一例を示すフローチャートである。
【図９】本発明における画像処理装置の出力サンプル生成処理の一例を示すフローチャートである。
【発明を実施するための形態】
【００１２】
以下、図面を参照して、本発明の実施形態を詳細に説明する。
【００１３】
図１は、本発明における画像処理装置のハードウェア構成の一例を示すハードウェア構成図である。
【００１４】
図において、１００は画像処理装置内の各部を制御するコントローラユニット、１１２は操作部、１２３はスキャナ部、１２５はプリンタ部である。
【００１５】
この操作部１１２は、例えば、数字を入力するためのテンキーや処理の実行を行うためのスタートキー等のハードキーや液晶タッチパネルで指令を入力可能に構成されている。
【００１６】
この操作部１１２は、ユーザが画像処理装置を操作するためのユーザインタフェースを提供する。
【００１７】
この操作部１１２では、タッチパネルに表示される各設定項目を表すアイコンやボタン（もしくはハードキー）をタッチ（押下）することで、画像処理装置に設定や情報の入力を行うように構成されている。
【００１８】
また、スキャナ部１２３は、原稿等の画像を画像データとして読み取る。プリンタ部１２５は、記録用紙を搬送し、その記録用紙に画像データを可視画像として印刷する。
【００１９】
コントローラユニット１００は、バス１２２を介してスキャナ部１２３に接続され、またバス１２４を介してプリンタ部１２５に接続される。さらに、コントローラユニット１００は、ＬＡＮ１１３、公衆回線（ＷＡＮ）１１４又は無線１１５を介して他の機器に接続して、画像情報やデバイス情報の入出力制御を行う。
【００２０】
このコントローラユニット１００に設置されたＣＰＵ１０１は、システム全体を制御するコントローラである。ＲＡＭ１０２は、ＣＰＵ１０１が動作するためのシステムワークメモリであり、画像データを一時記憶するための画像メモリでもある。ＲＯＭ１０３はブートＲＯＭである。ＲＯＭ１０３には、システムのブートプログラムが格納されている。
【００２１】
ＨＤＤ１０４は、ハードディスクドライブであり、システムソフトウェアや画像データ、後述する通信部１１１が有するすべての無線通信に関する情報（無線通信の仕様）を格納する。
【００２２】
この画像処理装置では、使用したい機能を実装したアプリケーション（以下、「アプリ」と呼ぶ。）をインストールすることで機能を増やすことができる。アプリをインストールすると、画像処理装置上では、各種機能を動かすためのアプリケーションプログラムがＲＡＭ１０２やＨＤＤ１０４に記憶される。
【００２３】
このコントローラユニット１００に設置された操作部Ｉ／Ｆ１０６は、ユーザインターフェース（ＵＩ）である操作部１１２との間のインターフェース部であり、操作部１１２に表示すべきデータを操作部１１２に対して出力する。これと共に、この操作部Ｉ／Ｆ１０６は、操作部１１２からユーザが入力して指示した情報を、ＣＰＵ１０１に伝える役割を行う。
【００２４】
このコントローラユニット１００に設置されたＮｅｔｗｏｒｋ部１０９は、ＬＡＮ１１３に接続され、情報の入出力を行う。ＭＯＤＥＭ１１０は、公衆回線１１４に接続され、情報の入出力を行う。
【００２５】
このコントローラユニット１００に設置された通信部１１１は、不図示のアンテナを介して無線（ＷＩＲＥＬＥＳＳ）１１５に接続され、情報の入出力を行う。この通信部１１１は、複数種類の無線通信を行うことが可能である。上述した各デバイスは、それぞれシステムバス１０７上に配置されている。
【００２６】
このコントローラユニット１００におけるイメージバス（ＩｍａｇｅＢｕｓ）Ｉ／Ｆ１０５は、システムバス１０７と、画像データを高速で転送する画像バス１０８とを接続し、データ構造を変換するバスブリッジである。
【００２７】
この画像バス１０８上に配置される各デバイスにおいて、ラスターイメージプロセッサ（ＲＩＰ）１１６は、ＰＤＬコードをビットマップイメージに展開する。また、デバイスＩ／Ｆ部１１７は、スキャナ部１２３またはプリンタ部１２５をコントローラユニット１００に接続する。
【００２８】
この画像バス１０８上に配置されたスキャナ画像処理部１１８は、入力画像データに対して補正、加工、または編集を行う。プリンタ画像処理部１１９は、プリント出力画像データに対して、プリンタ部１２５に合った補正、解像度変換等を行う。画像回転部１２０は、画像データの回転を行う。画像処理部１２１は、画像データに対する、ＪＰＥＧ、ＪＢＩＧ、ＭＭＲ、ＭＨ等の圧縮伸張処理や、ＰＤＦ、ＴＩＦＦ等へのフォーマット変換処理やＯＣＲ処理や暗号化／復号化処理を行う。
【００２９】
図２は、本発明における画像処理装置のタッチパネルの一例を示す図である。
【００３０】
図１の操作部１１２に対応するものであり、表示部２０１、入力部２０２、決定ボタン２０３を有する。
【００３１】
決定ボタン２０３は、本発明にかかるアプリケーションを実行している時は決定ボタンとして作用し、それ以外はスタートボタンとして作用するものである。
【００３２】
ここでコピー２０４選択されることでコピー画面となる。コピーとは、スキャナ部１２３が読み取った原稿をプリンタ部１２５で印刷出力するものである。コピー画面においては、コピー画面の詳細については、図５を利用して後述する。また、コピーの他、ＦＡＸ２０５やスキャン２０６などの機能も操作部で指定することにより利用可能となる。
【００３３】
図５は、本発明における画像処理装置の濃度調整画面の一例を示す図である。
【００３４】
コピー機能における濃度調整画面５０１では、コピー時の濃度調整が可能である。ユーザは、薄くするボタン５０２が押下されると濃度の薄い方（左）へメモリが移動し、濃くするボタン５０３が押下されると濃度の濃い方（右）へメモリが移動することで設定される。本画面においては、濃度を９段階で設定することが可能となっている。
【００３５】
背景調整５０４では、裏写り箇所や地色部分の濃度を調整する。自動が選択さえると背景は自動で調整され、調整が選択されると調整画面が表示される。
【００３６】
キャンセル５０５が押下されると設定がクリアされ（保存されることなく）元の画面に戻る。ＯＫ５０６が押下されると設定された内容が画像処理装置に記憶される。
【００３７】
図３は、本発明の実施形態に係わる情報処理装置の機能構成の一例を示す機能構成図である。
【００３８】
図２におけるＣＰＵ２０１等のハードウェア構成が互いに協働して動作することにより機能するソフトウェア構成となっている。
【００３９】
画像処理装置は、操作受付部３０１、設定変更部３０２、原稿認識部３０３、および出力サンプル生成部３０４を有している。
【００４０】
操作受付部３０１は、画像処理装置の操作パネルなどのユーザからの操作を受け付ける。例えば図２に示すよう各種機能を選択したり、各種設定の入力を行うことができる。
【００４１】
設定変更部３０２は、操作受付部３０１を介して各種設定変更を受け付けることができる。例えば、印刷濃度の設定や印刷倍率の設定やカラーバランスの設定などを受け付ける。
【００４２】
また、前回行われた設定を記憶しておき、今回設定された内容と比較することも可能である。
【００４３】
原稿認識部は、コピーされる原稿が前回と同じ原稿なのかどうかの判定を行う。
【００４４】
原稿置台を利用する場合は、カバーが空けられることなくコピーが継続される場合に同一の原稿であると判定することができる。
【００４５】
自動紙送り装置（ＡＤＦ）が利用される場合には、前回コピーされた画像を記憶しておき、今回スキャンされた画像と同一であるかを、画像マッチングの技術を利用して判定する。
【００４６】
出力サンプル生成部３０４は、原稿認識部３０３により同一原稿であると判定され、設定変更部３０２で同じ設定項目が変更された場合に、ユーザが操作にとまどっているかもしれないとして、出力サンプルを印刷するかを問い合わせ、出力するよう選択された場合に出力サンプルを印刷出力する。問い合わせすることなく、強制的に出力サンプルを印刷することも可能である。
【００４７】
図４は、本発明における原稿画像および出力サンプル画像の一例を示す図である。
【００４８】
ユーザは図３に示す画面を利用して濃度の調整を行い、コピーを実行することでコピー画像が印刷出力される。ここで原稿画像が変更されないまま、再度濃度調整画面が開かれた場合に、出力サンプル９０３を出力するかどうかの問い合わせを受け、出力を要求すると出力サンプル９０３が出力される。
【００４９】
出力サンプルとは、スキャンされた原稿画像に対して複数の異なる設定で出力される時のサンプルを一覧で印刷出力したものである。本図面では、特徴部９０２をそのままのサイズ（等倍）でサンプルとして印刷出力されている。特徴部９０２は画像処理により自動で決定されるようにしてもよいし、ユーザにより指定を受け付けるようにしてもよい。また、この他にも原稿画像全体を縮小表示することも可能である。
【００５０】
印刷済サンプルは、印刷済みの濃度でサンプル出力される。ユーザはサンプルに出力された濃度番号を入力することで、選択された濃度で画像が印刷出力される。
【００５１】
その他、濃度１から濃度５までの５段階がサンプル出力される。例えば濃度調整画面の濃度メモリ単位に出力されるようにしてもよい。出力サンプルの生成方法については、図９を利用して後述する。
【００５２】
図６は、本発明における画像処理装置の出力サンプルをするか否かの確認画面の一例を示す図である。
【００５３】
ユーザが濃度調整を所定条件、同じ原稿に対して行った際に表示される画面である。濃度調整画面６０１では、「濃度サンプルプリントを実行しますか？」と表示されるので、それに対して「はい」６０２が選択され、ＯＫ６０４が押下されると、図７に示す出力サンプルの印刷出力設定画面が表示される。
【００５４】
「いいえ」６０３やキャンセルが選択されると、図５の画面に戻りユーザは濃度調整を引き続き行うことができる。すなわち、出力サンプルは印刷されない。
【００５５】
図７は、本発明における画像処理装置の出力サンプルの出力設定画面の一例を示す図である。
【００５６】
出力設定画面７０１では、オプションとして「濃い（／薄い）設定は無視する」７０２と「等倍で印刷する」７０３を選択可能である。
【００５７】
「濃い（／薄い）設定は無視する」７０２が選択された場合、ユーザによる濃度調整が薄く調整され再印刷しようとした場合に、最初に印刷出力された濃度よりも濃いものはサンプル出力しない（無視する）ようになる。逆に、例えばユーザによる濃度調節が濃い方に調整され再印刷しようとした場合に、最初に印刷出力された濃度よりも薄いものはサンプル出力しない（無視する）ようになる。また、この項目が選択されない場合は、濃度は均等にサンプル出力される。
【００５８】
「等倍で印刷する」７０３が選択されると、サンプルとして出力される箇所が等倍で出力さる。また、この項目が選択されない場合は、原稿画像を縮小して全体が表示される。
【００５９】
印刷開始７０４またはＯＫ７０５が選択されることで出力サンプルが印刷出力される。
【００６０】
図８は、本発明における画像処理装置のメインフローの一例を示すフローチャートである。
【００６１】
ユーザにより画像処理装置でのコピー操作が行われる際のフローである。ステップＳ８０１で、ユーザによりコピー画面が表示され、ステップＳ８０２では、印刷設定ダイアログ（図５の濃度調整画面）が表示され、設定後、ステップＳ８０３でスタートボタンが押下されると、同一原稿のコピーであるかどうかを判定する。同一原稿であるかどうかは、例えば原稿置台を利用する場合は、のカバーが開けられずに再度スタートボタンが押下されたかどうかで判定することができる。また、ＡＤＦなどの自動紙送り装置を利用したコピーの場合は、前回コピーの画像と今回の画像を比較することで同一原稿かどうかを判定することができる。（すなわち画像の比較で同じ画像であった場合に同一原稿と判定する。）
【００６２】
同一原稿でないと判定された場合はステップＳ８１２に進み、同一原稿であると判定された場合は、ステップＳ８０５に進み、濃度変更が行われたかどうかの判定を行う。濃度変更が行われなかった場合はステップＳ８１２に進み、濃度変更が行われた場合は、ステップＳ８０６に進む。
【００６３】
ステップＳ８０６では、図６に示すサンプル出力をするか否かの確認画面を表示する。ステップＳ８０７では、ユーザによる入力内容を判定し、いいえ（出力サンプルを印刷しない）が選択された場合にはステップＳ８１２に進み、はい（出力サンプルを印刷する）が選択された場合に、ステップＳ８０８に進み、図６に示す出力サンプルの出力設定画面を表示する。ステップＳ８０９では、出力サンプルの生成を行い、ステップＳ８１０で印刷出力する。
【００６４】
ステップＳ８１１では、今回の印刷を行った印刷の濃度および印刷原稿を履歴に記憶しておく。この履歴は、過去の印刷を対象とした場合のステップＳ８０４およびＳ８０５の判定に利用可能である。
【００６５】
図９は、本発明における画像処理装置の出力サンプル生成の一例を示すフローチャートである。
【００６６】
ステップＳ９０１で、今回設定しようとした濃度設定が前回よりも濃いかどうかを判定する。薄い場合ステップＳ９０２に進み、サンプルプリント濃度を前回以下の濃度を対象とする。ステップＳ９０３では、出力するサンプルの最小濃度を画像処理装置で設定可能な最小濃度とし、サンプル最大濃度を今回設定した濃度とする。
【００６７】
一方、濃い場合捨ステップＳ９０４でサンプルプリントの濃度は前回以上の濃度を対象とし、ステップＳ９０５で、サンプル最小濃度を今回選んだ濃度、サンプル最大濃度をプリント最大濃度とする。
【００６８】
ステップＳ９０６で、サンプル最小濃度がプリント最小濃度であるかを判定し、最小である場合はステップＳ９０７に進みチェックボックスのＵＩに「濃い設定は無視する」と表示し、ＮＯの場合はステップＳ９０６に進み、「薄い場合は無視する」と表示する。
【００６９】
ステップＳ９０６では、印刷開始ボタン押下時に、「濃いｏｒ薄い設定は無視する」のチェックボタンが選択されたかどうかを判定し、選択されない場合はステップＳ９１０で、サンプル最小濃度をプリント最小濃度とし、サンプル最大濃度をプリント最大濃度とする。選択された場合は、ステップＳ９１１に進みサンプル数をサンプル最大濃度からサンプル最小濃度の数とする。
【００７０】
ステップＳ９１２で印刷開始ボタン押下時に原稿のスキャンを行い、サンプルプリントで使用する画像位置をユーザに選択させるＴまえにプレビュー表示を行う。
【００７１】
ステップＳ９１３で、プリントする画像位置をユーザに指定させ、ステップＳ９１４では、印刷開始ボタンの押下時に「等倍で印刷する」のチェックがされたかどうかを判定する。
【００７２】
チェックされた場合は、ステップＳ９１５に進み。変倍率を１００％にし、サンプルサイズをユーザに指定されたサイズにする。もしくは、自動的にサンプルにふさわしい特徴的なエリアをエッジ抽出法などにより選ばれるようにしてもよい。
【００７３】
ステップＳ９１６では、印刷用イサイズ、サンプル数から印刷枚数を算出し、ステップ９１７に進む。
【００７４】
ステップＳ９１４で、チェックされていなかった場合には、ステップＳ９１９で印刷枚数を１枚に設定し、ステップＳ９２０で、印刷用紙サイズ、印刷枚数、サンプル数からサンプルサイズを算出し、ステップＳ９２１では、サンプルサイズ、プリントエリアサイズから変倍率を算出する。
【００７５】
ステップＳ９２２では、サンプルサイズがサンプル最小サイズより大きいか判定し、大きくない場合は、ステップＳ９２３で印刷枚数を１枚増やし、ステップＳ９２０の処理に進む。一方、ステップＳ９２２でＹＥＳの場合はステップＳ９１７に進み、サンプル画像（出力サンプル）のサンプルサイズを変倍率を決定し、ステップＳ９１８で、印刷用紙にサンプルプリント画像をサンプル数ならば識別ＮＯを付与して、出力サンプルとして印刷して処理を終了する。ここで付与された識別ＮＯの入力を受け付けることで、当該識別番号から特定可能は濃度設定でもって、コピー画像の印刷出力を行うことができる。
【００７６】
また、本実施形態ではユーザが設定する項目として濃度設定を例に説明したが、設定項目として、拡大／縮小の場合でも同様の処理をすることができる。
【００７７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００７８】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００７９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８０】
この場合、記録媒体から読み出されたプログラム自体が本発明の新規な機能を実現することになり、そのプログラムを記憶した記録媒体は本発明を構成することになる。
【００８１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００８２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００８６】
なお、上述した各実施形態およびその変形例を組み合わせた構成も全て本発明に含まれるものである。
【符号の説明】
【００８７】
１００      コントローラユニット
１０１      ＣＰＵ
１０２      ＲＡＭ
１０３      ＲＯＭ
１０４      ＨＤＤ
１０５      イメージバスＩ／Ｆ
１０６      操作部Ｉ／Ｆ
１０９      Ｎｅｔｗｏｒｋ部
【図１】
2015128229.tif 000003
【図２】
2015128229.tif 000004
【図３】
2015128229.tif 000005
【図４】
2015128229.tif 000006
【図５】
2015128229.tif 000007
【図６】
2015128229.tif 000008
【図７】
2015128229.tif 000009
【図８】
2015128229.tif 000010
【図９】
2015128229.tif 000011